(57)【要約】      （修正有）【課題】踵の箇所をガードすることによりそこを固定・保護するだけでなく、それによって膝や腰回りなどの不自然な体勢、動きなどを改善サポートすることにより、様々な痛み疾患などのトラブルや作業、スポーツ等に対処し得る足首サポーターを提供する。【解決手段】装着時に足裏後部と足甲後部と踵後上部を帯状に覆うように形成される三次元形状のバンド体１から成り、非装着時には面状ファスナー２の接合部を剥離することにより、片側に若干傾き下端が二股状に分岐した略Ｙ字状の二次元形状を呈し、該面状ファスナー２は略Ｙ字の上先端部と下端分岐部に設けるようにする。又は略コ字状のバンド体１長帯部の両端を固定連結してこの三次元リング体を直線部で二次元的に折り畳み、これに直線状短帯部をセットにして製品形態にする。或いは、非装着時に面状ファスナー２の接合部を剥離することにより、略Ｃ字状長帯部と直伸状短帯部とから成る二次元形状のバンド体１となるようにする。【選択図】図１
0003213174.tif 000002
【実用新案登録請求の範囲】
【請求項１】
装着時に足裏後部と足甲後部と踵後上部を帯状に覆うように形成される三次元形状のバンド体から成り、非装着時には面状ファスナーの接合部を剥離することにより、片側に若干傾き下端が二股状に分岐した略Ｙ字状の二次元形状を呈し、該面状ファスナーは略Ｙ字の上先端部と下端分岐部に設けられていることを特徴とする足首サポーター。
【請求項２】
装着時に足裏後部と足甲後部と踵後上部を帯状に覆うように形成される三次元形状のバンド体から成り、非装着時には面状ファスナーの接合部を剥離することにより、略Ｃ字状長帯部と直伸状短帯部とから成る二次元形状を呈し、該短帯部はその端を該長帯部の適宜部位で垂伸状になるように固着もしくは面状ファスナーで連結することを特徴とする請求項１記載の足首サポーター。
【請求項３】
非装着時において二次元形状で鋭角状に屈曲した略コ字状長帯部の両端を予め固定連結して三次元的リング体とし、その直線状箇所で折り畳んだときに二次元形状化するようにした該長帯部と直伸状短帯部とのバンド体のセットであって、長帯部の屈曲箇所と短帯部の少なくとも両端箇所に面状ファスナーを取り付けたことを特徴とする足首サポーター。
【請求項４】
バンド体が弾力伸縮性の薄帯体より成る請求項２記載の足首サポーター。
【請求項５】
装着時に足裏後部と足甲後部と踵後上部を帯状に覆うように形成される三次元形状であって、弾力伸縮性の薄帯体より成るバンド体から成り、接合部は固着もしくは面状ファスナーにより、装着と非装着の移行作業を接合部の固定状態のままバンド体の伸縮により行えるようにしたことを特徴とする足首サポーター。
【考案の詳細な説明】
【技術分野】
【０００１】この考案は、日常生活における姿勢や歩行を改善したりスポーツパフォーマンスを向上させるための足首サポーターに関する。
【背景技術】
【０００２】人間は全体重を両足で支えて直立歩行をする一方、仕事やスポーツ、或いは日常の生活習慣などから不自然な姿勢や無理な体勢で過ごしがちで、その結果、多くの人が腰から足にかけての様々なトラブルに悩まされているのが現状である。【０００３】その対策として、身体に装着するものとしては、腰回り、膝回りやふくらはぎ、或いはそこから踵にかけてを伸縮性の布地などで取り巻くタイプのものが数多く出回っている。
【考案の開示】
【考案が解決しようとする課題】
【０００４】このような在来のサポーター類の多くは、動きのある身体をサポートするため、広い面積の伸縮性シートで痛みのある箇所の回りを広く取り巻く形態のものとなっている。従ってそのためのコスト負担が嵩むだけでなく、着脱に手間取ったり長時間の着用に違和感があるなどの問題点があった。【０００５】本考案はかかる問題点を解決するために、直立歩行する人体構造の要になっている踵の部分に注目して、その箇所をガードすることによりそこを固定・保護するだけでなく、それによって膝や腰回りなどの不自然な体勢、動きなどを改善することにより、様々な痛みトラブルやスポーツ等に対処することを課題とする。
【課題を解決するための手段】
【０００６】図１及び図２に示すように、装着時に足裏後部と足甲後部と踵後上部を帯状に覆うように形成される三次元形状のバンド体１から成り、非装着時には面状ファスナー２の接合部を剥離することにより、図２のような場合においては図３のように片側に若干傾き下端が二股状に分岐した略Ｙ字状の二次元形状を呈し、該面状ファスナー２は略Ｙ字の上先端部と下端分岐部に設けるものとする。但し足の形状は左右において線対称であるから、それに応じて略Ｙ字状のバンド体１の形状も、図示していない反対側に傾いた線対称のものも加えて、２個一式とする。【０００７】装着は上記から明らかなように、バンド体１のＹ字の下方に伸びる部分を足裏の踵前方に横渡し、反対側の上方分岐部から足首を取り巻くようにしてその先端に取り付けてある面状ファスナー２を、同じくＹ字下端を上方に曲げた先に取り付けてある面状ファスナー２に面合わせして貼着固定することになる。なお、面状ファスナー２は、面合わせする際に片面が雄面、他面が雌面となるように予めセットされていることは言うまでもない。そして該バンド体１が踵該当部分に程よく密着するように面状ファスナー２の貼着位置を微調整する。【０００８】図１のような場合に対応する例として掲げたのが図４及び図５である。すなわち非装着時には面状ファスナー２の接合部を剥離することにより、略Ｃ字状長帯部と直伸状短帯部とから成る二次元形状のバンド体１となり、該短帯部はその両端を該長帯部の適宜部位で垂伸状になるように固定もしくは着脱自在の面状ファスナー２で連結するものとする。長帯部と短帯部が分離しているときが図４、垂伸状に連結しているときが図５となる。【０００９】なお、図では長帯部の垂伸状に連結させる適宜部位として、全長の片端より約４分の１の箇所を例示したが、この場合は、他端より約４分の１の箇所に面状ファスナー２を取り付けておくことにより、その箇所で足裏を横切った短帯部の先部に取り付けてある面状ファスナー２を固定して足裏を支えるとともに、長帯部は足首を取り巻いて前方の足甲部で両端の面状ファスナー２で微調整しつつ貼着固定することになる。微調整や固定は前方がやり易いことを考慮している。【００１０】但し本考案の基本コンセプトはそれに限られているわけではない。すなわち、垂伸状固定部位は片端部でも中央部であってもよく、また例えばそこを予め縫い付けもしくは一体成型により非分離の一体物にした製品形態もあり得る。【００１１】さらに図２のような場合に対応する別形態として掲げたのが図６〜図８である。すなわち非装着時には面状ファスナー２の接合部が剥離されていて、本来、屈曲箇所が鋭角状である略コ字状長帯部と直伸状短帯部とから成る２個の二次元形状のバンド体１から構成されるが（図６）、その略コ字状長帯部の両端部１ａを固定連結すると三次元的リング体となり、その直線状箇所で折り畳んだむと二次元形状化する。そして三次元的リング体となった長帯部の長経突出端を短帯部で連結すると図７のようになり、さらにこれを裏返して上下を手前に折り曲げると（その折り目は長帯部の直線状箇所に該当する）図８のようになる。【００１２】こうすることにより製品形態はすこぶるコンパクト化し、使用感も図３のような形態のものにひけをとらないものとなる。すなわち、予め該両端部１ａを固定連結して三次元的形態にしてしまっても、折り畳めば二次元化するから、全く差し支えないわけである。なお、バンド体１自体は強度はあるものの屈曲性のある材質から成っているから、図７では両側部が直線状であっても、その左右を押し広げれば図２のような略円形の三次元的リング体に変貌する。【００１３】次に図１に対応する別形態として、バンド体１がゴムのような弾力伸縮性の薄帯体から成っている場合がある。その場合の接合部は固着もしくは面状ファスナーにより、装着と非装着の移行作業を接合部の固定状態のままバンド体の伸縮により行えるようにしたものである。【００１４】この場合のバンド体１も基本的に足首上方を取り囲む長帯部と足裏後部を支える短帯部の２要素から成ることに変わりはないが、図９に示すように、長帯部は必ずしも湾曲又は屈曲している必要はなく、直帯状であってもよい。【００１５】その弾力伸縮性の薄帯体から成るバンド体１は、長帯部がやや幅広で直帯状であれば、両端部１ａを固定連結してリング状に巻けば非円錐の円筒状となるものの、薄くて伸縮性があるため、実際には足甲後部や踵後上部においてほとんど違和感がないことが判明した。但し材質としては軟質ゴム或いはストッキング生地のようなものが好ましい。【００１６】使用者の足形に合わせる微調整のために、必要に応じ、長帯部においてリング状に固定連結する両端部１ａからさらに尾部１ｃを延長形成する。その先に面状ファスナー２を設けておき、装着時にこれを長帯部本体表面に予め設けられている面状ファスナー２に面合わせすることによりその適正位置を定めることができる。なお尾部１ｃを形成することなく、長帯部本体のみでその両端に設けた面状ファスナーにより同じく微調整してもよい。【００１７】なお、かかる弾力伸縮性の薄帯体を用いた場合でも、長帯部を湾曲状の二次元形状にしてよいことは言うまでもない。【００１８】ちなみにこのような弾力伸縮性の薄帯体を用いて短帯部を長帯部に固定連結した場合は、装着時に足首横の踝に面状ファスナー２等が重ならないから、該当箇所が靴横に重ならず邪魔にならないメリットがある。
【考案の効果】
【００１９】本考案によれば、足の踵部という動きの少ない小さな部位に装着するのみで、着用に伴う大きな負担や違和感なく身体全体の歪み等を適正化させるのに役立ち、またそれにより疲労や悪化した生活習慣の弊害改善にも貢献できる効果がある。
【考案を実施するための形態】
【００２０】図９で例示したような長短二本の弾力伸縮性薄帯体において、長帯部は厚さ０．６ｍｍ、幅３５ｍｍ、全長３４０ｍｍとし、短帯部は厚さ０．６ｍｍ、幅２５ｍｍ、全長１４５ｍｍとする。該長帯部の片端とそれより全長の約３／５の部位をリング状に固定連結するための部位を両端部１ａとしてステッチ箇所とし、それより約１／３手前に面状ファスナー２を取り付ける。長帯部の残り約２／５はリングの外に伸びる尾部１ｃとなり、その先にも面状ファスナー２を取り付ける。短帯部の両端部１ａは上記長帯部をリング状にする両端部１ａと同じくステッチ箇所とするとともに、長帯部には短帯部を連結固定するための別個のステッチ箇所（便宜上、これも両端部１ａとする）を、面状ファスナー２の両横の適宜位置に縁に沿って２箇所設ける。
【００２１】なお上記の長帯部は必要に応じ、図４や図６のように湾曲又は屈曲させてもよいことは既に述べた通りであり、全て固定連結して面状ファスナー２を不要にし、ゴムの伸縮や大中小サイズの選択により微調整する形態もあり得る。このように本考案の最良の実施形態は、必ずしも一つに限定されるものではない。
【産業上の利用可能性】
【００２２】本考案は使用感が良くてニーズも多く、量産可能であるので産業上の利用可能は十分にある。
【図面の簡単な説明】
【００２３】
【図１】装着時における本考案一例の見取図
【図２】装着時における本考案別例の見取図
【図３】非装着時における本考案別例の正面図
【図４】非装着時における本考案一例一形態の正面図
【図５】非装着時における本考案一例別形態の正面図
【図６】非装着時における本考案別例一形態の正面図
【図７】非装着時における本考案別例別形態の正面図
【図８】非装着時における本考案別例の更に別形態の正面図
【図９】非装着時における本考案更に別例一形態の正面図
【符号の説明】
【００２４】１……バンド体
２……面状ファスナー
１ａ……両端部
１ｃ……尾部
【図１】
0003213174.tif 000003
【図２】
0003213174.tif 000004
【図３】
0003213174.tif 000005
【図４】
0003213174.tif 000006
【図５】
0003213174.tif 000007
【図６】
0003213174.tif 000008
【図７】
0003213174.tif 000009
【図８】
0003213174.tif 000010
【図９】
0003213174.tif 000011
【手続補正書】
【提出日】平成29年8月3日(2017.8.3)
【手続補正１】
【補正対象書類名】実用新案登録請求の範囲
【補正対象項目名】全文
【補正方法】変更
【補正の内容】
【実用新案登録請求の範囲】
【請求項１】
装着時に足裏後部と足甲後部と踵後上部を帯状に覆うように形成される三次元形状のバンド体から成り、非装着時には面状ファスナーの接合部を剥離することにより、片側に若干傾き下端が二股状に分岐した略Ｙ字状の二次元形状を呈し、該面状ファスナーは略Ｙ字の上先端部と下端分岐部に設けられていることを特徴とする足首サポーター。
【手続補正２】
【補正対象書類名】明細書
【補正対象項目名】全文
【補正方法】変更
【補正の内容】
【考案の詳細な説明】
【技術分野】
【０００１】この考案は、日常生活における姿勢や歩行を改善したりスポーツパフォーマンスを向上させるための足首サポーターに関する。
【背景技術】
【０００２】人間は全体重を両足で支えて直立歩行をする一方、仕事やスポーツ、或いは日常の生活習慣などから不自然な姿勢や無理な体勢で過ごしがちで、その結果、多くの人が腰から足にかけての様々なトラブルに悩まされているのが現状である。【０００３】その対策として、身体に装着するものとしては、腰回り、膝回りやふくらはぎ、或いはそこから踵にかけてを伸縮性の布地などで取り巻くタイプのものが数多く出回っている。
【考案の開示】
【考案が解決しようとする課題】
【０００４】このような在来のサポーター類の多くは、動きのある身体をサポートするため、広い面積の伸縮性シートで痛みのある箇所の回りを広く取り巻く形態のものとなっている。従ってそのためのコスト負担が嵩むだけでなく、着脱に手間取ったり長時間の着用に違和感があるなどの問題点があった。【０００５】本考案はかかる問題点を解決するために、直立歩行する人体構造の要になっている踵の部分に注目して、その箇所をガードすることによりそこを固定・保護するだけでなく、それによって膝や腰回りなどの不自然な体勢、動きなどを改善することにより、様々な痛みトラブルやスポーツ等に対処することを課題とする。
【課題を解決するための手段】
【０００６】図１に示すように、装着時に足裏後部と足甲後部と踵後上部を帯状に覆うように形成される三次元形状のバンド体１から成り、非装着時には面状ファスナー２の接合部を剥離することにより、図２のような場合においては図３のように片側に若干傾き下端が二股状に分岐した略Ｙ字状の二次元形状を呈し、該面状ファスナー２は略Ｙ字の上先端部と下端分岐部に設けるものとする。但し足の形状は左右において線対称であるから、それに応じて略Ｙ字状のバンド体１の形状も、図示していない反対側に傾いた線対称のものも加えて、２個一式とする。【０００７】装着は上記から明らかなように、バンド体１のＹ字の下方に伸びる部分を足裏の踵前方に横渡し、反対側の上方分岐部から足首を取り巻くようにしてその先端に取り付けてある面状ファスナー２を、同じくＹ字下端を上方に曲げた先に取り付けてある面状ファスナー２に面合わせして貼着固定することになる。なお、面状ファスナー２は、面合わせする際に片面が雄面、他面が雌面となるように予めセットされていることは言うまでもない。そして該バンド体１が踵該当部分に程よく密着するように面状ファスナー２の貼着位置を微調整する。
【考案の効果】
【０００８】本考案によれば、足の踵部という動きの少ない小さな部位に装着するのみで、着用に伴う大きな負担や違和感なく身体全体の歪み等を適正化させるのに役立ち、またそれにより疲労や悪化した生活習慣の弊害改善にも貢献できる効果がある。
【考案を実施するための形態】
【０００９】図２に示したような形状（左足用）の上下長約３０ｃｍ、厚さ約２ｍｍのバンド体１をクッション性素材の抜型及び周辺縫製により作成し、その表側下端部に面状ファスナーの雄面、裏側上端部２箇所に面状ファスナー２の雌面を縫製又は接着により設けるものとする。またこれと線対称になるような形状のものも同じく用意し、両者一対をセットにして製品化する。
【産業上の利用可能性】
【００１０】本考案は使用感が良くてニーズも多く、量産可能であるので産業上の利用可能は十分にある。
【図面の簡単な説明】
【００１１】
【図１】装着時における本考案の見取図
【図２】被装着時における本考案の見取図
【符号の説明】
【００１２】  １……バンド体
２……面状ファスナー
【手続補正３】
【補正対象書類名】図面
【補正対象項目名】全図
【補正方法】変更
【補正の内容】
【図１】
0003213174.tif 000012
【図２】
0003213174.tif 000013